(57)【特許請求の範囲】
【請求項１】
物品を収納する収納スペースが互いに隣接するように複数設けられた収納領域に収納された物品について、当該物品が収納された収納スペースをデータベースに登録して管理する物品管理システムであって、
前記物品に取り付けられ、当該物品を識別可能な固有情報が書き込まれたＩＣタグと、
前記複数の収納スペースのそれぞれにおいて前記ＩＣタグから前記固有情報を非接触状態にて読み取る読取手段と、
前記読取手段にて前記固有情報が読み取られた収納スペースに、当該固有情報によって識別される物品が収納されていると判断し、その旨を前記データベースに登録する管理手段とを有し、
前記管理手段は、前記読取手段によって１つの固有情報が複数の収納スペースにて読み取られた場合に当該固有情報の読取回数または前記読取手段における前記ＩＣタグからの受信強度を当該複数の収納スペースどうしで比較し、前記読取回数または前記受信強度の差が所定の閾値以下である場合、当該固有情報によって識別される物品が当該複数の収納スペースの境界近傍に収納されていると判断し、その旨を前記データベースに登録する物品管理システム。
【請求項２】
請求項１に記載の物品管理システムにおいて、
前記管理手段は、前記物品が収納された収納スペースを前記物品ごとに現収納スペースとして管理しており、前記読取回数または前記受信強度の差が前記閾値を超えている場合、前記読取回数または前記受信強度が大きな収納スペースに当該固有情報によって識別される物品が収納されていると判断し、当該収納スペースと当該物品についての前記現収納スペースとを比較し、当該収納スペースが前記現収納スペースとは異なる場合に当該物品が移動したと判断し、その旨を前記データベースに登録する物品管理システム。
【発明の詳細な説明】
【技術分野】
【０００１】
本発明は、物品を管理する物品管理システムに関し、特に、物品に取り付けられたＩＣタグに書き込まれた固有情報を読み取ることにより、物品が収納された収納スペースを判断して管理する物品管理システムに関する。
【背景技術】
【０００２】
従来より、商品の在庫管理や書類の収納状況管理等といった物品の管理は、その物品に予め与えられた識別情報を管理者あるいは作業者が読み取ることによって行われている。物品に予め与えられた識別情報は、ラベル等に印字されて物品に貼着されたり、物品が収納された段ボール等に印字されたりしており、管理者あるいは作業者は、物品の管理を行う場合は、まずこの識別情報を読み取る。識別情報はどの物品に与えられたものであるかがホストコンピュータ等で管理されており、管理者あるいは作業者が商品等から読み取った識別情報をホストコンピュータ等に入力することにより、商品の在庫や書類の収納状況が把握されることになる。
【０００３】
近年、ＵＨＦ帯のＲＦＩＤ技術の進歩により、ＩＣタグを用いて上述したような物品管理を行う技術が考えられている。
【０００４】
例えば、特許文献１には、特定すべき保管場所毎に保管場所を示すＩＣタグを設置しておくとともに、保管される物品にＩＣタグを取り付けておき、これら保管場所に設置されたＩＣタグと、物品に取り付けられたＩＣタグとからの受信強度に基づいて、物品の保管場所を管理する技術が開示されている。この技術においては、物品に取り付けられたＩＣタグからの受信強度を保管場所どうしで比較し、受信強度が最も強い保管場所をその物品の保管場所と判断している。
【０００５】
また、特許文献２には、上記同様に、物品にＩＣタグを取り付けておき、このＩＣタグからの識別情報の読取結果を用いて、物品の保管場所からの移動等を判断し、表示する技術が開示されている。
【先行技術文献】
【特許文献】
【０００６】
【特許文献１】特開２００９−１１３８９３号公報
【特許文献２】特開２００９−２５１９１９号公報
【発明の概要】
【発明が解決しようとする課題】
【０００７】
上述したようにＩＣタグを用いて物品管理を行う場合、その読取精度を向上させるために電波の出力を大きくすることが考えられる。ところがその場合、物品が収納される収納スペースが複数存在すると、１つの物品に取り付けられたＩＣタグの識別情報が複数の収納スペースにて読み取られてしまう場合がある。そこで、特許文献１に開示された技術のように、物品に取り付けられたＩＣタグからの受信強度を保管場所どうしで比較し、受信強度が最も強い保管場所をその物品の保管場所と判断することが考えられる。
【０００８】
しかしながら、複数の収納スペースの境界近傍に収納された物品においては、その物品に取り付けられたＩＣタグからの受信強度が複数の収納スペースにて同じような値となる場合がある。そのため、例えば、物品が本来収納されるべき収納スペースに収納されている場合であっても、隣接する収納スペースとの境界近傍に収納されていることにより、その物品が収納されるべき収納スペースにおける受信強度が、それに隣接する収納スペースにおける受信強度よりも若干弱い場合に、本来収納されるべき収納スペースに物品が収納されているにも関わらず、それに隣接する収納スペースに物品が収納されていると判断されてしまう場合がある。その場合、物品が収納されている収納スペースを正確に管理することができなくなってしまい、物品が本来収納されるべき収納スペースに収納されているにも関わらず、作業員が物品を収納し直したり収納スペースを確認したりしに行く作業が発生してしまうとともに、その後、物品を出庫する際に作業員が戸惑ってしまうという問題点がある。
【０００９】
本発明は、上述したような従来の技術が有する問題点に鑑みてなされものであって、収納スペースが互いに隣接するように複数設けられた収納領域において、複数の収納スペースの境界近傍に物品が収納された場合でも作業が煩雑となることなく物品の収納スペースを管理することができる物品管理システムを提供することを目的とする。
【課題を解決するための手段】
【００１０】
上記目的を達成するために本発明は、
物品を収納する収納スペースが互いに隣接するように複数設けられた収納領域に収納された物品について、当該物品が収納された収納スペースをデータベースに登録して管理する物品管理システムであって、
前記物品に取り付けられ、当該物品を識別可能な固有情報が書き込まれたＩＣタグと、
前記複数の収納スペースのそれぞれにおいて前記ＩＣタグから前記固有情報を非接触状態にて読み取る読取手段と、
前記読取手段にて前記固有情報が読み取られた収納スペースに、当該固有情報によって識別される物品が収納されていると判断し、その旨を前記データベースに登録する管理手段とを有し、
前記管理手段は、前記読取手段によって１つの固有情報が複数の収納スペースにて読み取られた場合に当該固有情報の読取回数または前記読取手段における前記ＩＣタグからの受信強度を当該複数の収納スペースどうしで比較し、前記読取回数または前記受信強度の差が所定の閾値以下である場合、当該固有情報によって識別される物品が当該複数の収納スペースの境界近傍に収納されていると判断し、その旨を前記データベースに登録する。
【００１１】
上記のように構成された本発明においては、物品が収納された複数の収納スペースのそれぞれにおいて読取手段によってＩＣタグから固有情報が非接触状態にて読み取られ、管理手段において、読取手段にて固有情報が読み取られた収納スペースに、その固有情報によって識別される物品が収納されていると判断され、その旨がデータベースに登録されることにより、物品が収納された収納スペースが管理される。ここで、複数の収納スペースの境界近傍に収納された物品においては、隣接する複数の収納スペースのそれぞれにおいて、取り付けられたＩＣタグから固有情報が読取手段によって読み取られることになる。そのため、場合によっては、物品が実際に収納されている収納スペースではなく、それに隣接する収納スペースに物品が収納されていると判断されてしまう虞れがある。そこで、管理手段において、読取手段によって１つの固有情報が複数の収納スペースにて読み取られた場合にその読取結果における数値が複数の収納スペースどうしで比較され、その数値の差が所定の閾値以下である場合、その固有情報によって識別される物品がその複数の収納スペースの境界近傍に収納されていると判断され、その旨がデータベースに登録される。
【００１２】
このように、物品に取り付けられたＩＣタグに書き込まれた固有情報が、複数の収納スペースにて読み取られた場合であって、その読取結果における数値が複数の収納スペースどうしで同じような値である場合、その物品が複数の収納スペースの境界近傍に収納されている旨がデータベースに登録されることにより、物品が複数の収納スペースの境界近傍に収納されている旨を作業員が認識することができ、それにより、作業員が物品の収納スペースを確認しに行く等の作業が不要となるとともに、物品を出庫する際に作業員が戸惑うことがない。
【００１３】
また、管理手段において、物品が収納された収納スペースを物品ごとに現収納スペースとして管理しておき、前記読取回数または前記受信強度の差が前記閾値を超えている場合、読取回数または受信強度が大きな収納スペースに当該固有情報によって識別される物品が収納されていると判断し、当該収納スペースと当該物品についての前記現収納スペースとを比較し、当該収納スペースが前記現収納スペースとは異なる場合に当該物品が移動したと判断し、その旨をデータベースに登録することにより、物品の移動を管理することができる。
【発明の効果】
【００１４】
本発明によれば、物品に取り付けられたＩＣタグに書き込まれた固有情報が、複数の収納スペースにて読み取られた場合であって、その読取結果における数値が複数の収納スペースどうしで同じような値である場合、その物品が複数の収納スペースの境界近傍に収納されている旨がデータベースに登録される構成としたため、物品が複数の収納スペースの境界近傍に収納されている場合であっても、その旨を作業員が認識することができ、それにより、作業が煩雑となることなく物品の収納スペースを管理することができる。
【００１５】
また、管理手段が、物品が収納された収納スペースを物品ごとに現収納スペースとして管理しておき、前記数値が前記閾値を超えている場合、数値が大きな収納スペースに当該固有情報によって識別される物品が収納されていると判断し、当該収納スペースと当該物品についての前記現収納スペースとを比較し、当該収納スペースが前記現収納スペースとは異なる場合に当該物品が移動したと判断し、その旨をデータベースに登録することにより、物品の移動を管理することができる。
【図面の簡単な説明】
【００１６】
【図１】本発明の物品管理システムの実施の一形態を示す図であり、（ａ）は概略構成を示す図、（ｂ）は機能ブロック図である。
【図２】図１に示した文書箱の収納領域の一例を示す図である。
【図３】図２に示した収納領域における文書箱の収納状態の管理方法を説明するための図である。
【図４】図１（ｂ）に示した読取結果データベースの一例を示す図である。
【図５】図１〜図３に示した物品管理システムにて文書箱が収納されている収納スペースを特定する方法を説明するためのフローチャートである。
【図６】図１（ｂ）に示した在庫管理データベースの一例を示す図である。
【図７】図１（ｂ）に示した表示部に表示出力される情報を示す図である。
【図８】図１〜図３に示した物品管理システムにおいて文書箱の収納スペースが予め決められていない場合における収納スペースを特定する方法を説明するためのフローチャートである。
【図９】図１（ｂ）に示した在庫管理データベースの他の例を示す図である。
【発明を実施するための形態】
【００１７】
以下に、本発明の実施の形態について図面を参照して説明する。
【００１８】
図１は、本発明の物品管理システムの実施の一形態を示す図であり、（ａ）は概略構成を示す図、（ｂ）は機能ブロック図である。
【００１９】
本形態は図１（ａ）に示すように、物品となる文書箱２にＩＣタグ１が貼付されており、このＩＣタグ１に書き込まれた物品番号をハンディターミナル３で読み取り、読み取った物品番号を、クレードル４を介して管理手段となる管理用パソコン５に送信し、それにより、文書箱２が収納された収納スペースを特定可能に管理するものである。
【００２０】
ＩＣタグ１は、貼付された文書箱２を識別可能な物品番号が固有情報として書き込まれており、ハンディターミナル３からＵＨＦ帯の読み取り用の電波が出力されることにより、非接触状態にて物品番号が読み取られる。なお、物品番号は、この物品番号が書き込まれたＩＣタグ１が貼付された文書箱２と対応づけて管理用パソコン５にて登録されている。また、ＩＣタグ１の文書箱２への取り付け方法は貼付に限らない。
【００２１】
ハンディターミナル３は、アンチコリジョン機能を有し、読み取り用の電波を出力することにより、読取範囲内に存在するＩＣタグ１の全てから物品番号を一括して読み取ることができる。ハンディターミナル３は、内蔵された蓄電池で駆動するものであり、クレードル４上に載置されることによって蓄電池が充電される。このクレードル４にはＬＡＮ８を介して管理用パソコン５が接続されており、ハンディターミナル３にて読み取られた物品番号を含む情報を管理用パソコン５に送信する。
【００２２】
図１（ａ）に示した構成を機能別に説明すると、図１（ｂ）に示すように、図１（ａ）に示したハンディターミナルターミナル３が、ＩＣタグ１に書き込まれた物品番号を読み取る読取部１１となり、また、図１（ａ）に示したクレードル４が、読取部１１にて読み取られた物品番号を含む情報を管理用パソコン５に送信する送信部１２となる。そして、これら読取部１１と送信部１２とから、本発明における読取手段となる読取制御部１０が構成されている。なお、読取制御部１０をハンディターミナル３のみから構成し、ＩＣタグ１から読み取られた物品番号を、クレードル４を介さずにハンディターミナル３から管理用パソコン５に直接送信する構成とすることも考えられる。
【００２３】
図１（ａ）に示した管理用パソコン５は図１（ｂ）に示すように、情報取得部２１と、読取結果データベース２２と、収納スペース算出部２３と、在庫管理データベース２４と、表示部２５とを有している。
【００２４】
情報取得部２１は、送信部１２から送信されてきた物品番号を含む情報を取得し、文書箱２が収納される収納スペース毎に、読取部１１にて読み取られた物品番号の読取回数を読取結果データベース２２に登録して管理する。
【００２５】
収納スペース算出部２３は、読取結果データベース２２に登録された読取回数に基づいて、文書箱２が収納されている収納スペースを特定し、文書箱２の在庫ステータスを、文書箱２が収納されている収納スペースを特定可能なものとして在庫管理データベース２４にて管理する。
【００２６】
表示部２５は、管理用パソコン５のディスプレイとその表示制御部とからなり、在庫管理データベース２４にて登録、管理されている在庫ステータスに基づいて、文書箱２の収納状況を表示出力する。
【００２７】
以下に、上記のように構成された物品管理システムにおける処理について説明する。
【００２８】
図２は、図１に示した文書箱２の収納領域の一例を示す図である。
【００２９】
図２に示すように本例における収納領域は、図１に示した文書箱２が収納される２つの収納スペース６ａ，６ｂが互いに隣接して設けられたものである。
【００３０】
これら収納スペース６ａ，６ｂのそれぞれには、図１に示した文書箱２が横並びに４つずつ配置されて収納されている。具体的には、収納スペース６ａには、文書箱２ａ〜２ｄが横並びに配置されて収納され、収納スペース６ｂには、文書箱２ｅ〜２ｈが横並びに配置されて収納されている。
【００３１】
このようにして２つの収納スペース６ａ，６ｂに収納された文書箱２ａ〜２ｈについて、収納された収納スペース６ａ，６ｂを特定可能に管理する。
【００３２】
図３は、図２に示した収納領域における文書箱２ａ〜２ｈの収納状態の管理方法を説明するための図である。
【００３３】
図２に示した収納領域における文書箱２ａ〜２ｈの収納状態を管理する場合は、図３に示すように、収納スペース６ａ，６ｂのそれぞれにおいて、図１に示したハンディターミナル３を文書箱２ａ〜２ｈに順次対向させていき、これら文書箱２ａ〜２ｈに貼付されたＩＣタグ１ａ〜１ｈに書き込まれた物品番号を読み取っていく。この際、収納スペース６ａ，６ｂのそれぞれには、収納スペース６ａ，６ｂを特定可能な情報が書き込まれたＩＣタグ７ａ，７ｂが取り付けられており、ハンディターミナル３を収納スペース６ａ，６ｂにて文書箱２ａ〜２ｈに対向させる前に、収納スペース６ａ，６ｂ毎にこのＩＣタグ７ａ，７ｂに対向させ、収納スペース６ａ，６ｂを識別可能な情報をハンディターミナル３にて読み取ることにより、その後に物品番号が読み取られたＩＣタグ１ａ〜１ｈが貼付された文書箱２ａ〜２ｈが収納された収納スペース６ａ，６ｂが特定可能となる。なお、収納スペース６ａ，６ｂの特定は、上述したようなＩＣタグ７ａ，７ｂを用いたものに限らず、ハンディターミナル３を収納スペース６ａ，６ｂにて文書箱２ａ〜２ｈに対向させる前に収納スペース６ａ，６ｂ毎に収納スペース６ａ，６ｂを特定可能な情報をハンディターミナル３に入力することや、ハンディターミナル３を収納スペース６ａ，６ｂ間を移動させる際に収納スペース６ａ，６ｂ毎にその旨をハンディターミナル３に入力すること等によってもよい。
【００３４】
以下の説明においては、文書箱２ａ〜２ｈに貼付されたＩＣタグ１ａ〜１ｈには、物品番号Ａ０１〜０４，Ｂ０１〜０４がそれぞれ書き込まれており、収納スペース６ａ，６ｂをそれぞれ保管場所Ａ，Ｂとする。また、文書箱２ａ〜２ｄは、本来、収納スペース６ａに収納されているものとし、文書箱２ｅ〜２ｈは、本来、収納スペース６ｂに収納されているものとする。
【００３５】
上述したようにしてハンディターミナル３にて読み取られた物品番号及び収納スペース６ａ，６ｂを特定可能な情報は、クレードル４から送信されて管理用パソコン５の情報取得部２１にて取得され、収納スペース６ａ，６ｂ毎に、ハンディターミナル３にて読み取られた物品番号の読取回数が読取結果データベース２２に登録される。
【００３６】
図４は、図１（ｂ）に示した読取結果データベース２２の一例を示す図である。
【００３７】
ハンディターミナル３においては、ＩＣタグ７ａから収納スペース６ａを特定可能な情報が読み取られた後、収納スペース６ａに対向している間に所定回数の読み取り動作が行われており、その間にて文書箱２ａ〜２ｄに貼付されたＩＣタグ１ａ〜１ｄからの物品番号の読取回数が読取結果データベース２２に登録される。また、同様に、ＩＣタグ７ｂから収納スペース６ｂを特定可能な情報が読み取られた後、収納スペース６ｂに対向している間に所定回数の読み取り動作が行われており、その間にて文書箱２ｅ〜２ｈに貼付されたＩＣタグ１ｅ〜１ｈからの物品番号の読取回数が読取結果データベース２２に登録される。
【００３８】
読取結果データベース２２においては、文書箱２ａ〜２ｈのそれぞれについて、本来収納されるべき収納スペースが予め登録されており、それにより、図４に示すように、文書箱２ａ〜２ｈのそれぞれについて、本来収納されるべき収納スペースにてＩＣタグ１ａ〜１ｈから物品番号が読み取られた回数と、それ以外の収納スペースにて物品番号が読み取られた回数とが読取結果データベース２２に登録される。具体的には、文書箱２ａは収納スペース６ａに本来収納されており、この収納スペース６ａにてＩＣタグ１ａから物品番号Ａ０１が１６回読み取られたことが登録される。また、文書箱２ｂは収納スペース６ａに本来収納されており、この収納スペース６ａに隣接する収納スペース６ｂにてＩＣタグ１ｂから物品番号Ａ０２が１１回読み取られたことが登録される。また、文書箱２ｃは収納スペース６ａに本来収納されており、この収納スペース６ａにてＩＣタグ１ｃから物品番号Ａ０３が１３回読み取られ、収納スペース６ａに隣接する収納スペース６ｂにてＩＣタグ１ｃから物品番号Ａ０３が２回読み取られたことが登録される。また、文書箱２ｄは収納スペース６ａに本来収納されており、この収納スペース６ａにてＩＣタグ１ｄから物品番号Ａ０４が８回読み取られ、収納スペース６ａに隣接する収納スペース６ｂにてＩＣタグ１ｄから物品番号Ａ０４が９回読み取られたことが登録される。また、文書箱２ｅは収納スペース６ｂに本来収納されており、この収納スペース６ｂにてＩＣタグ１ｅから物品番号Ｂ０１が９回読み取られ、収納スペース６ｂに隣接する収納スペース６ａにてＩＣタグ１ｅから物品番号Ｂ０１が１５回読み取られたことが登録される。また、文書箱２ｆは収納スペース６ｂに本来収納されており、この収納スペース６ｂにてＩＣタグ１ｆから物品番号Ｂ０２が１５回読み取られ、収納スペース６ｂに隣接する収納スペース６ａにてＩＣタグ１ｆから物品番号Ｂ０２が１回読み取られたことが登録される。また、文書箱２ｇは収納スペース６ｂに本来収納されており、この収納スペース６ｂにてＩＣタグ１ｇから物品番号Ｂ０３が８回読み取られたことが登録される。また、文書箱２ｈは収納スペース６ｂに本来収納されており、この収納スペース６ｂにてＩＣタグ１ｈから物品番号Ｂ０４が１４回読み取られたことが登録される。
【００３９】
このようにして物品番号の読取回数が読取結果データベース２２に登録された後、収納スペース算出部２３において、読取結果データベース２２に登録された読取回数に基づいて、文書箱２が収納されている収納スペースが特定される。
【００４０】
図５は、図１〜図３に示した物品管理システムにて文書箱２ａ〜２ｈが収納されている収納スペースを特定する方法を説明するためのフローチャートである。
【００４１】
まず、収納スペース算出部２３において、読取結果データベース２２に登録された読取結果を含む読み取りデータが取得される（ステップ１）。
【００４２】
次に、読み取られた物品番号のそれぞれについて、１つの収納スペースのみにて読み取られているかどうかが判断される（ステップ２）。
【００４３】
そして、１つの収納スペースのみにて読み取られた物品番号について、その収納スペースが、その物品番号によって識別される文書箱が本来収納されるべき収納スペースであるかどうかが判断される（ステップ３）。
【００４４】
物品番号が読み取られた収納スペースが、その物品番号によって識別される文書箱が本来収納されるべき収納スペースである場合は、本来収納されるべき収納スペースに文書箱が収納されていると判断される（ステップ４）。例えば、読取結果データベース２２が図４に示したものである場合は、物品番号Ａ０１によって識別される文書箱２ａが、本来収納されるべき収納スペース６ａに収納されているとともに、物品番号Ｂ０３，Ｂ０４によって識別される文書箱２ｇ，２ｈが、本来収納されるべき収納スペース６ｂに収納されていると判断される。
【００４５】
また、物品番号が読み取られた収納スペースが、その物品番号によって識別される文書箱が本来収納されるべき収納スペースではない場合は、収納場所が移動したと判断される（ステップ５）。例えば、読取結果データベース２２が図４に示したものである場合は、物品番号Ａ０２によって識別される文書箱２ｂが、本来収納されるべき収納スペース６ａから収納スペース６ｂに移動して収納されていると判断される。
【００４６】
また、読み取られた物品番号のそれぞれについて、複数の収納スペースにて読み取られている場合は、複数の収納スペースどうしで読取回数が比較される（ステップ６）。
【００４７】
そして、読取回数の差が閾値以下であるかどうかが判断され（ステップ７）、閾値を超えている場合は、読取回数が多い方の収納スペースに文書箱が収納されていると判断される（ステップ８）。
【００４８】
その後、ステップ３における処理に移行し、読取回数が多い方の収納スペースが、物品番号によって識別される文書箱が本来収納されるべき収納スペースであるかどうかが判断され、判断結果に応じてステップ４またはステップ５の処理が行われる。例えば、読取結果データベース２２が図４に示したものである場合において、上記閾値を３とした場合、物品番号Ａ０３によって識別される文書箱２ｃについて、収納スペース６ａ，６ｂのいずれにおいても物品番号Ａ０３が読み取られているものの、その読取回数の差が、１３−２＝１１となり閾値の３を超えており、さらに、収納スペース６ａにおける読取回数が収納スペース６ｂにおける読取回数よりも多いため、本来収納されるべき収納スペース６ａに収納されていると判断される。また、物品番号Ｂ０２によって識別される文書箱２ｆについて、収納スペース６ａ，６ｂのいずれにおいても物品番号Ｂ０２が読み取られているものの、その読取回数の差が、１５−１＝４となり閾値の３を超えており、さらに、収納スペース６ｂにおける読取回数が収納スペース６ａにおける読取回数よりも多いため、本来収納されるべき収納スペース６ｂに収納されていると判断される。また、物品番号Ｂ０１によって識別される文書箱２ｅについて、収納スペース６ａ，６ｂのいずれにおいても物品番号Ｂ０１が読み取られており、その読取回数の差が、１５−９＝５となり閾値の３を超えており、さらに、収納スペース６ｂにおける読取回数が収納スペース６ａにおける読取回数よりも多いため、本来収納されるべき収納スペース６ｂから収納スペース６ａに移動して収納されていると判断される。
【００４９】
また、上記読取回数の差が閾値以下である場合は、本来収納されるべき収納スペースに収納されていると判断され（ステップ９）、なおかつ、その収納スペースにおいて隣接する収納スペースとの境界近傍に文書箱が収納されていると判断される（ステップ１０）。例えば、読取結果データベース２２が図４に示したものである場合において、上記閾値を３とした場合、物品番号Ａ０４によって識別される文書箱２ｄについて、収納スペース６ａ，６ｂのいずれにおいても物品番号Ａ０４が読み取られており、その読取回数の差が、９−８＝１となり閾値の３以下であるため、本来収納されるべき収納スペース６ａにおいて、隣接する収納スペース６ｂとの境界近傍に収納されていると判断される。
【００５０】
このようにして特定された収納スペースは、在庫管理データベース２４に登録され、在庫ステータスとして管理される。
【００５１】
図６は、図１（ｂ）に示した在庫管理データベース２４の一例を示す図である。
【００５２】
図６に示すように、在庫管理データベース２４には、文書箱２ａ〜２ｈのそれぞれについて、図４に示した読取結果データベース２２に登録された情報に加えて、在庫状況と、移動状況や配置位置を示す棚卸結果とが登録されている。すなわち、本形態においては、棚卸結果として、物品番号Ａ０２，Ｂ０１によって識別される文書箱２ｂ，２ｆがそれぞれ、収納スペースが移動したものとして登録され、物品番号Ａ０４によって識別される文書箱２ｄが、本来収納されるべき収納スペース６ａにおいて隣接する収納スペース６ｂとの境界近傍に収納されているものとして登録される。
【００５３】
その後、表示部２５において、在庫管理データベース２４にて登録、管理されている在庫ステータスに基づいて、文書箱２ａ〜２ｈの収納状況が表示出力される。
【００５４】
図７は、図１（ｂ）に示した表示部２５に表示出力される情報を示す図である。
【００５５】
在庫管理データベース２４にて登録された文書箱２ａ〜２ｈの収納状況が上述したようなものである場合、図７に示すように、表示部２５においては、物品番号Ａ０２によって識別される文書箱２ｂの収納スペースが、収納スペース６ａから収納スペース６ｂに移動し、また、物品番号Ｂ０１によって識別される文書箱２ｅの収納スペースが、収納スペース６ｂから収納スペース６ａに移動し、また、物品番号Ａ０４によって識別される文書箱２ｄが、本来収納されるべき収納スペース６ａにおいて隣接する収納スペース６ｂとの境界近傍に収納されている旨が表示される。
【００５６】
これにより、作業者は、収納スペースが移動した文書箱を認識することができるとともに、複数の収納スペースのいずれかに収納されていることが想定される文書箱においては、本来収納されるべき収納スペースにおいて隣接する収納スペースとの境界近傍に収納されていることを認識することができ、物品を出庫する際等において作業員が戸惑ってしまうことがなくなり。また、複数の収納スペースのいずれかに収納されていることが想定される文書箱においては、本来収納されるべき収納スペースに収納されているとされるため、むやみに収納スペースが移動したと判断されず、本来収納されるべき収納スペースに文書箱が収納されているにも関わらず、それに隣接する収納スペースに文書箱が収納されていると判断されてしまうことがなくなり、作業員が文書箱の収納スペースを確認しに行く等の作業が不要となる。
【００５７】
また、表示部２５においては、ハンディターミナル３にて物品番号が一度も読み取られなかった場合にその物品番号によって識別される文書箱について未検知と表示したり、出庫中あるいは廃棄済みのＩＣタグに書き込まれた物品番号が読み取られた場合に非在庫品検知と表示したり、未入庫の文書箱あるいは未登録の物品番号がハンディターミナル３にて読み取られた場合に未登録品検知と表示したりすることもできる。
【００５８】
なお、図７に示した情報を表示部２５にて表示出力するのではなく、印字出力してもよい。
【００５９】
また、本形態においては、ハンディターミナル３における読取結果による数値として、物品番号の読取回数を例に挙げて説明したが、ハンディターミナル３におけるＩＣタグ１ａ〜１ｈからの受信強度の強さを読取結果による数値として用いてもよい。
【００６０】
また、本形態においては、読取手段としてハンディターミナル３を用いたものを例に挙げて説明したが、クレーン等によって収納スペース６ａ，６ｂを自動的に移動してＩＣタグ１ａ〜１ｈから物品番号を読み取るものを利用してもよい。
【００６１】
また、収納スペースの数や１つの収納スペースに収納される文書箱の数は、上述した実施の形態にて示したものに限らないことは言うまでもない。収納スペースが３つ以上ある場合は、文書箱が本来収納されない複数の収納スペースにてその文書箱を特定可能な物品番号が読み取られた場合、文書箱が本来収納されない収納スペースにおける読取回数が多くなる度に読取結果データベース２２が更新されていき、それらの収納スペースのうち読取回数が最も多いものと、文書箱が本来収納されるべき収納スペースにおける読取回数とが比較されることになる。
【００６２】
また、複数の収納スペースのいずれかに収納されていることが想定される文書箱について、本来収納されるべき収納スペースにおいて隣接する収納スペースとの境界近傍に収納されていると判断するのではなく、複数の収納スペースのいずれかの、これと隣接する収納スペースとの境界近傍に収納されていると判断してもよい。
【００６３】
また、本形態においては、読取結果データベース２２において、文書箱２ａ〜２ｈのそれぞれについて、本来収納されるべき収納スペースが予め登録されており、ステップ３において、１つの収納スペースのみにて読み取られた物品番号について、その収納スペースが、その物品番号によって識別される文書箱が本来収納されるべき収納スペースであるかどうかが判断されているが、読取結果データベース２２に、前回の読取結果による文書箱２ａ〜２ｈの収納スペースを登録しておき、これも含めて判断することも考えられる。この場合、前回の読取結果による文書箱２ａ〜２ｈの収納スペースが現収納スペースとなり、収納スペース算出部２３において、読取結果データベース２２を参照し、前回の読取結果による文書箱２ａ〜２ｈの収納スペースと、ステップ２にて判断された収納スペースとを比較し、両者が異なる場合に文書箱が移動したと判断することになる。
【００６４】
（他の実施の形態）
上述した実施の形態においては、文書箱の収納スペースが予め決められて読取結果データベース２２に予め登録されており、文書箱のそれぞれについて、本来収納されるべき収納スペースにてＩＣタグから物品番号が読み取られた回数と、それ以外の収納スペースにて物品番号が読み取られた回数とが比較されるものを例に挙げて説明したが、文書箱の収納スペースが予め決められていない場合でも本発明を用いることができる。
【００６５】
図８は、図１〜図３に示した物品管理システムにおいて文書箱の収納スペースが予め決められていない場合における収納スペースを特定する方法を説明するためのフローチャートである。
【００６６】
まず、収納スペース算出部２３において、読取結果データベース２２に登録された読取結果を含む読み取りデータが取得される（ステップ１１）。
【００６７】
次に、読み取られた物品番号のそれぞれについて、１つの収納スペースのみにて読み取られているかどうかが判断される（ステップ１２）。
【００６８】
そして、１つの収納スペースのみにて読み取られた物品番号ついては、その物品番号によって識別される文書箱が、その１つの収納スペースに収納されていると判断される（ステップ１３）。
【００６９】
また、読み取られた物品番号のそれぞれについて、複数の収納スペースにて読み取られている場合は、読取回数が最も多い収納スペースと２番目に多い収納スペースとの間にて読取回数が比較される（ステップ１４）。
【００７０】
そして、読取回数の差が閾値以下であるかどうかが判断され（ステップ１５）、閾値を超えている場合は、ステップ１３における処理に移行し、読取回数が多い方の収納スペースに文書箱が収納されていると判断される。
【００７１】
また、上記読取回数の差が閾値以下である場合は、読取回数が多い方の収納スペースに文書箱が収納されていると判断され（ステップ１６）、なおかつ、その収納スペースにおいて隣接する収納スペースとの境界近傍に文書箱が収納されていると判断される（ステップ１７）。
【００７２】
このようにして特定された収納スペースは、在庫管理データベース２４に登録され、在庫ステータスとして管理される。
【００７３】
図９は、図１（ｂ）に示した在庫管理データベース２４の他の例を示す図である。
【００７４】
図９に示すように、在庫管理データベース２４には、文書箱２ａ〜２ｈのそれぞれについて、ＩＣタグ１ａ〜１ｈからの物品番号の読取回数が最多であった収納スペースと、その収納スペースにて物品番号が読み取られた回数と、ＩＣタグ１ａ〜１ｈからの物品番号の読取回数が２番目に多い収納スペースと、その収納スペースにて物品番号が読み取られた回数とが在庫管理データベース２４に登録されており、この読取結果に基づいて上記のように判断された収納スペースが登録される。例えば、物品番号Ａ０１が収納スペース６ａのみにて読み取られているため、物品番号Ａ０１によって識別される文書箱２ａは収納スペース６ａに収納されているとして管理される。また、物品番号Ａ０２，Ｂ０３，Ｂ０４がそれぞれ収納スペース６ｂのみにて読み取られているため、物品番号Ａ０２，Ｂ０３，Ｂ０４によって識別される文書箱２ｂ，２ｇ，２ｈは収納スペース６ｂに収納されているとして管理される。また、物品番号Ａ０３，Ｂ０１がそれぞれ収納スペース６ａ，６ｂのいずれでも読み取られているものの、収納スペース６ａにおける読取回数が収納スペース６ｂにおける読取回数よりも多いため、物品番号Ａ０３，Ｂ０１によって識別される文書箱２ｃ，２ｅは収納スペース６ａに収納されているとして管理される。また、物品番号Ｂ０２が収納スペース６ａ，６ｂのいずれでも読み取られているものの、収納スペース６ｂにおける読取回数が収納スペース６ａにおける読取回数よりも多いため、物品番号Ｂ０２によって識別される文書箱２ｆは収納スペース６ｂに収納されているとして管理される。また、物品番号Ａ０４が収納スペース６ａ，６ｂのいずれでも読み取られているものの、収納スペース６ｂにおける読取回数が収納スペース６ａにおける読取回数よりも多く、かつ、その読取回数の差が、上記閾値を３とした場合、９−８＝１となり閾値の３以下であるため、物品番号Ａ０４によって識別される文書箱２ｄは収納スペース６ｂの収納スペース６ａとの境界近傍に収納されているとして管理される。
【符号の説明】
【００７５】
１，１ａ〜１ｈ，７ａ，７ｂ    ＩＣタグ
２，２ａ〜２ｈ    文書箱
３    ハンディターミナル
４    クレードル
５    管理用パソコン
６ａ，６ｂ    収納スペース
８    ＬＡＮ
１０    読取制御部
１１    読取部
１２    送信部
２１    情報取得部
２２    読取結果データベース
２３    収納スペース算出部
２４    在庫管理データベース
２５    表示部
【要約】
【課題】収納スペースが互いに隣接するように複数設けられた収納領域において、複数の収納スペースの境界近傍に物品が収納された場合でも作業が煩雑となることなく物品の収納スペースを管理する。
【解決手段】管理用パソコン５において、ハンディターミナル３によって１つの固有情報が複数の収納スペースにて読み取られた場合にその読取結果における数値を当該複数の収納スペースどうしで比較し、その数値が所定の閾値以下である場合、当該固有情報によって識別される物品が当該複数の収納スペースの境界近傍に収納されていると判断する。
【選択図】図１【図１】
0005422071.tif 000002
【図２】
0005422071.tif 000003
【図３】
0005422071.tif 000004
【図４】
0005422071.tif 000005
【図５】
0005422071.tif 000006
【図６】
0005422071.tif 000007
【図７】
0005422071.tif 000008
【図８】
0005422071.tif 000009
【図９】
0005422071.tif 000010